(57)【要約】【課題】  斬新なデザインのスピーカーカバーを安定して取り付けることができ、装飾性を高めた遊技機を提供する。【解決手段】  スピーカー装飾ユニット２５は、スピーカーカバー６８と、ユニット基部６９と、スピーカーカバー６８の膨出部分を突出させるスピーカー装飾部材７０とから構成され、スピーカー装飾部材７０は、ユニット基部６９に係合する係合部およびベース係合部を当該スピーカー装飾部材７０の後側からユニット基部６９へ向けて複数突設し、係合部の基端部にスピーカーカバー６８を位置決めするカバー用位置決め部を形成し、ユニット基部６９の裏面からベース接続部をベース部材２２へ向けて延設し、該ベース接続部とベース係合部とをベース部材２２に着脱可能な状態で接続して、ベース部材２２の前面にスピーカー装飾ユニット２５を着脱可能な状態で配置した。【選択図】  図８
2006051118.tif 000002
【特許請求の範囲】
【請求項１】
遊技盤を着脱可能な前面枠の前面側に、遊技盤の前方を覆う透明部材を保持する前面カバー部材を開閉可能に備えた遊技機において、
前記前面カバー部材は、
遊技の効果音を発生するスピーカーと、
該スピーカーの取付部を左右両側方に形成したベース部材と、
前記スピーカーの前方を覆うスピーカー装飾ユニットと、
を備え、
前記スピーカー装飾ユニットは、
凸形状に形成された板状部材に複数の小孔を開設し、該小孔から遊技の効果音を通過可能にしたスピーカーカバーと、
前記スピーカーの発音部と連通するために開設されたスピーカー連通口と、該スピーカー連通口の前方において前記スピーカーカバーの膨出部分を後方から支持するカバー支持部と、を形成したユニット基部と、
該ユニット基部の前面に配置され、前記スピーカーカバーの膨出部分を突出させるために開設したカバー突出開口と、該カバー突出開口の縁部にスピーカーカバーを前方から係止するスピーカーカバー係止部と、を形成したスピーカー装飾部材と、
から構成され、
前記スピーカー装飾部材は、
当該スピーカー装飾部材の裏面から前記ユニット基部へ向けて複数突設され、前記ユニット基部に係合するための係合部と、前記係合部の基端部に形成され、スピーカーカバーを位置決めするためのカバー用位置決め部と、
を備え、
前記ユニット基部は、
当該ユニット基部の裏面から前記ベース部材へ向けて突設され、前記ベース部材に接続するためのベース接続部を備え、
該ベース接続部と、少なくとも１つの係合部とを前記ベース部材に着脱可能な状態で接続して、前記ベース部材の前面に前記スピーカー装飾ユニットを着脱可能な状態で設けたことを特徴とする遊技機。
【請求項２】
前記スピーカー装飾ユニットを前後方向に移動可能な装飾ユニット移動手段を備えたことを特徴とする請求項１に記載の遊技機。
【請求項３】
前記カバー支持部は、前記スピーカーカバーの膨出先端を裏側から支持する先端支持部と、該先端支持部から前記スピーカー連通口の縁部へ向けて放射状に延設され、前記スピーカーカバーの膨出先端の周辺を裏側から支持する先端周辺支持部とから構成されていることを特徴とする請求項１または請求項２に記載の遊技機。
【発明の詳細な説明】
【技術分野】
【０００１】
本発明は、前面にスピーカーを備えたパチンコ遊技機等の遊技機に関する。
【背景技術】
【０００２】
従来の遊技機、例えば、パチンコ遊技機においては、遊技における効果音を出力するためのスピーカーが当該パチンコ遊技機の前面に搭載されている。そして、近年では、パチンコ遊技機の前面の左右両側にスピーカーを配置して、高音質のステレオサウンドを出力するパチンコ遊技機が増えており、例えば、左右一対のスピーカーを透明部材保持枠（前面カバー部材）の上部両側の隅部に開設したスピーカー取付口の裏側から取り付け、スピーカーの前方には平らな金網状のスピーカーカバーを配置したものが提案されている（特許文献１参照）。
【特許文献１】特開平９−５６９０６号公報
【発明の開示】
【発明が解決しようとする課題】
【０００３】
しかしながら、上記したパチンコ遊技機のスピーカーカバーは、スピーカー取付口の縁に沿って形成された細溝状の差込部に差し込んで取り付けられているだけであり、安定した取付状態を保ち難い。また、この差込部に曲面で構成されたスピーカーカバー、例えば前方に膨出したスピーカーカバーを取り付けようとすると、取付作業が困難になり、取付状態も一層不安定になる虞がある。そのため、遊技者の興味を惹くような斬新なデザインをパチンコ遊技機に採用することが困難であり、集客性の高いパチンコ遊技機を提供し難い。
【０００４】
そこで、本発明は、上記の事情に鑑みてなされたものであり、その目的は、斬新なデザインのスピーカーカバーを安定して取り付けることができ、装飾性を高めた遊技機を提供しようとするものである。
【課題を解決するための手段】
【０００５】
本発明は、上記目的を達成するために提案されたものであり、請求項１に記載のものは、遊技盤を着脱可能な前面枠の前面側に、遊技盤の前方を覆う透明部材を保持する前面カバー部材を開閉可能に備えた遊技機において、
前記前面カバー部材は、
遊技の効果音を発生するスピーカーと、
該スピーカーの取付部を左右両側方に形成したベース部材と、
前記スピーカーの前方を覆うスピーカー装飾ユニットと、
を備え、
前記スピーカー装飾ユニットは、
凸形状に形成された板状部材に複数の小孔を開設し、該小孔から遊技の効果音を通過可能にしたスピーカーカバーと、
前記スピーカーの発音部と連通するために開設されたスピーカー連通口と、該スピーカー連通口の前方において前記スピーカーカバーの膨出部分を後方から支持するカバー支持部と、を形成したユニット基部と、
該ユニット基部の前面に配置され、前記スピーカーカバーの膨出部分を突出させるために開設したカバー突出開口と、該カバー突出開口の縁部にスピーカーカバーを前方から係止するスピーカーカバー係止部と、を形成したスピーカー装飾部材と、
から構成され、
前記スピーカー装飾部材は、
当該スピーカー装飾部材の裏面から前記ユニット基部へ向けて複数突設され、前記ユニット基部に係合するための係合部と、前記係合部の基端部に形成され、スピーカーカバーを位置決めするためのカバー用位置決め部と、
を備え、
前記ユニット基部は、
当該ユニット基部の裏面から前記ベース部材へ向けて突設され、前記ベース部材に接続するためのベース接続部を備え、
該ベース接続部と、少なくとも１つの係合部とを前記ベース部材に着脱可能な状態で接続して、前記ベース部材の前面に前記スピーカー装飾ユニットを着脱可能な状態で設けたことを特徴とする遊技機である。
【０００６】
請求項２に記載のものは、前記スピーカー装飾ユニットを前後方向に移動可能な装飾ユニット移動手段を備えたことを特徴とする請求項１に記載の遊技機である。
【０００７】
請求項３に記載のものは、前記カバー支持部は、前記スピーカーカバーの膨出先端を裏側から支持する先端支持部と、該先端支持部から前記スピーカー連通口の縁部へ向けて放射状に延設され、前記スピーカーカバーの膨出先端の周辺を裏側から支持する先端周辺支持部とから構成されていることを特徴とする請求項１または請求項２に記載の遊技機である。
【発明の効果】
【０００８】
本発明によれば、以下のような優れた効果を奏する。
請求項１に記載の発明によれば、前面カバー部材は、遊技の効果音を発生するスピーカーと、該スピーカーの取付部を左右両側方に形成したベース部材と、スピーカーの前方を覆うスピーカー装飾ユニットとを備え、スピーカー装飾ユニットは、凸形状に形成された板状部材に複数の小孔を開設し、該小孔から遊技の効果音を通過可能にしたスピーカーカバーと、スピーカーの発音部と連通するために開設されたスピーカー連通口と、該スピーカー連通口の前方においてスピーカーカバーの膨出部分を後方から支持するカバー支持部と、を形成したユニット基部と、該ユニット基部の前面に配置され、スピーカーカバーの膨出部分を突出させるために開設したカバー突出開口と、該カバー突出開口の縁部にスピーカーカバーを前方から係止するスピーカーカバー係止部と、を形成したスピーカー装飾部材とから構成され、スピーカー装飾部材は、当該スピーカー装飾部材の裏面からユニット基部へ向けて複数突設され、ユニット基部に係合するための係合部と、係合部の基端部に形成され、スピーカーカバーを位置決めするためのカバー用位置決め部とを備え、ユニット基部は、当該ユニット基部の裏面からベース部材へ向けて突設され、ベース部材に接続するためのベース接続部を備え、該ベース接続部と、少なくとも１つの係合部とをベース部材に着脱可能な状態で接続して、ベース部材の前面にスピーカー装飾ユニットを着脱可能な状態で設けたので、前面カバー部材に斬新なデザインのスピーカーカバーを安定した状態で取り付けることができ、遊技機のスピーカー周辺の装飾性を向上させることができる。また、スピーカーカバーの位置決めも容易に行うことができ、遊技機の組立作業の効率向上を図ることができる。
【０００９】
請求項２に記載の発明によれば、スピーカー装飾ユニットを前後方向に移動可能な装飾ユニット移動手段を備えたので、スピーカーからの音量や遊技進行に伴ってスピーカー装飾ユニットを前後移動させることができる。したがって、今までにない斬新な遊技演出を行うことができ、遊技の興趣を高めることができる。
【００１０】
請求項３に記載の発明によれば、カバー支持部は、スピーカーカバーの膨出先端を裏側から支持する先端支持部と、該先端支持部からスピーカー連通口の縁部へ向けて放射状に延設され、スピーカーカバーの膨出先端の周辺を裏側から支持する先端周辺支持部とから構成されるので、外部からの衝突を受け易い膨出形状のスピーカーカバーであっても凹みを生じ難い状態で支持することができる。したがって、スピーカーカバーが損傷する不具合を抑えることができ、遊技機のメンテナンス作業の負担軽減を図ることができる。
【発明を実施するための最良の形態】
【００１１】
以下、代表的な遊技機であるパチンコ遊技機を例に挙げて本発明の実施の最良の形態を図面に基づき説明する。図１はパチンコ遊技機の正面図、図２は前面カバー部材を開放した状態におけるパチンコ遊技機の斜視図である。
パチンコ遊技機１は、外枠（機枠あるいは本体枠）２に、大きな矩形状開口部を有する略額縁状の前面枠（内枠）３の一側（図中左側）を開閉可能に取り付け、この前面枠３の遊技盤収納部４（図２参照）内に遊技盤５を着脱（交換）可能な状態で取り付け、遊技盤５の表面には、表示装置、大入賞口、一般入賞口（いずれも図示せず）、アウト口５′などを配設した遊技領域６をガイドレールなどの遊技領域区画部材７により区画することで形成している。また、前面枠３の前面側には、一側（図中左側）が軸着（軸支）された前面カバー部材８を開閉（回動）可能に設け、該前面カバー部材８に透視可能なガラス板９を収納し、このガラス板９を通して遊技領域６を前方から透視可能な状態で覆い、前面カバー部材８の下方に上皿ユニット１０と下皿ユニット１１とを左右に少し位置をずらした状態で上下に設けてある。そして、このパチンコ遊技機１は、その横に設置されたカードユニット（図示せず）のカード挿入口にプリペイドカード等の記憶媒体（遊技価値が記憶されている）を挿入し、前面カバー部材８の下部に設けられた球貸用操作ボタン１２を操作すると、パチンコ遊技機１の内部に設けられた球排出装置（図示せず）が作動して遊技球が上皿ユニット１０側に排出されるとともに記憶媒体の記憶内容が書き換えられ、返却用操作ボタン１３を操作するとカードユニット内の記憶媒体がカード挿入口から返却されるように構成されている。
【００１２】
次に、前面カバー部材（透明部材保持枠）８について説明する。
前面カバー部材８は、図３〜図６に示すように、遊技盤５の遊技領域６の全体が視認可能な略円形の開口部２１を開設したベース部材２２と、該ベース部材２２の前面上部に設けられたパイロットレンズユニット２３と、パイロットレンズユニット２３の左右両端部の下方に設けられ、遊技の効果音を発生するスピーカー２４と、該スピーカー２４の前方を覆うスピーカー装飾ユニット２５と、ベース部材２２の前面下部に設けられた下部装飾ユニット２６と、開口部２１の周縁部に設けられた略環状のレンズユニット２７と、ベース部材２２の裏側に開口部２１を塞ぐ状態でガラス板９を取り付けるガラスユニット２８（本発明の透明部材に相当）と、開口部２１の下方部分に配設され、ガラスユニット２８の下端を嵌合する裏面部材２９と、ベース部材２２の裏面上部に設けられ、ガラスユニット２８を保持するためのガラスユニット保持部材３０とから概略構成されている。そして、ベース部材２２の一側（図５中右側）の上部に設けた蝶番機構（上側蝶番機構）３１と一側下部に設けたヒンジ金具（下側蝶番機構）３２とにより前面枠３の一側に開閉可能に軸着されている。また、ベース部材２２の他側上部には開閉検出器３３を、その検出部を後方へ突出する状態でベース部材２２の前方から取り付け、前面カバー部材８の開閉状態を検出できるように構成されている。なお、開閉検出器３３の前方には、前面カバー部材８の前面の一部を構成する検出器カバー３４を取り付けている。また、パイロットレンズユニット２３には、中央部分に略逆三角形状のパイロットレンズ３５を、該パイロットレンズ３５の右側方には開閉ランプ用レンズ３６および球排出エラーランプ用レンズ３７を横に並べて備えている。
【００１３】
ベース部材２２は、合成樹脂により成形された背面開放の浅いカバー状の部材である。このベース部材２２は、図８に示すように、上部の左右にスピーカー取付部３８を設けて前方からスピーカー２４をねじ等の止着部材３９により止着し、前面には複数の発光基板４０を取り付け、各発光基板４０の前面には、点状の発光体（例えば、ＬＥＤ）４４を複数配設している。なお、パイロットレンズユニット２３のパイロットレンズ３５の後方に配設された発光体４４は、遊技中における所謂大当り時に点灯するパイロットランプとして機能する。また、開閉ランプ用レンズ３６の後方に配設された発光体４４は、前面カバー部材８が前面枠３に対して開いたときに開閉検出器３３からの信号に基づいて点灯する開閉ランプとして機能し、球排出エラーランプ用レンズ３７の後方に配設された発光体４４は、パチンコ遊技機１内の球排出機構（図示せず）に球詰まり等のエラーが発生したときに点灯する球排出エラーランプとして機能する。
【００１４】
また、ベース部材２２の裏面には、図７に示すように、開口部２１の内周縁の外側に壁状の防犯リブ４８が立設され、該防犯リブ４８の内側にガラスユニット２８が装着されるように構成されている。そして、このベース部材２２の裏面のうち開口部２１の上方に横長な金属製の上補強プレート５１をねじで固定するとともに、開口部２１の一側（前面カバー部材８の回動軸支端側。図中右側。）に縦長な軸支端補強プレート５２を、開口部２１の他側（前面カバー部材８の回動自由端側。図中左側。）に縦長な自由端補強プレート５３を、開口部２１の下方に横長な下補強プレート５４を軸支端補強プレート５２の下端と自由端補強プレート５３の下端とに接続した状態でそれぞれねじにより固定している。さらに、軸支端補強プレート５２の前側（ベース部材２２との間）に蝶番機構３１の軸部材３１ａを設け、軸支端補強プレート５２の下部にはヒンジ金具３２の軸受穴３２ａを開設している。また、自由端補強プレート５３には、前面カバー部材８が閉状態時に前面枠へ係止する係止片５３ａを、当該自由端補強プレート５３の上寄りに２箇所、下寄りに１箇所設け、上寄りの係止片５３ａの間に矩形状のプレート開口５５を開設し、このプレート開口５５から開閉検出器３３の検出部を後方へ臨ませている（図１１参照）。なお、上補強プレート５１，軸支端補強プレート５２，自由端補強プレート５３，下補強プレート５４はそれぞれ金属板製であり、ベース部材２２の開口部２１の四方を囲むように付設される補強材として機能する。なお、図７中、符号５６はベース部材２２の上部に取り付けられる配線カバー部材であり、符号５７はベース部材２２の右側に取り付けられる防犯兼配線カバー部材である。
【００１５】
次に、スピーカー２４の周辺の構造について詳細に説明する。なお、上記した左右のスピーカー２４、スピーカー取付部３８およびスピーカー装飾ユニット２５は、略左右対称であって基本的な構造は同じであるので、右側（前面カバー部材８の回動自由端側）のスピーカー２４およびその周辺を例に挙げて説明する。
ベース部材２２の前面上部の左右両側に設けられたスピーカー取付部３８は、図９〜図１１に示すように、ベース部材２２に開口して円形状に設けられたスピーカー収納開口６０と、該スピーカー収納開口６０の周縁から前方へ立設され、下側に切欠部６１を開設した略倒Ｃ字状のスピーカー支持壁６２と、該スピーカー支持壁６２の周辺に前方へ向けて立設されたスピーカー止着部６３とから構成されている。そして、スピーカー２４の後部（駆動部）２４ａをスピーカー収納開口６０に収納すると共に、スピーカー２４のコーン部（発音部）２４ｂの後面部をスピーカー支持壁６２の先端部に当接して支持し、この状態でコーン部２４ｂの周辺に形成されたフランジ部２４ｃをスピーカー止着部６３へねじ等の止着部材３９により止着することで、スピーカー２４を、コーン部２４ｂを前方へ臨ませた状態で固定する（図８および図１２参照）。なお、スピーカー取付部３８に取り付けられたスピーカー２４は、そのコーン部２４ｂの後面部に備えた入力端子（図示せず）をスピーカー支持壁６２の切欠部６１内に配置して、入力端子に接続された配線をスピーカー取付部３８の外側へ引き出せるように構成されている。
また、ベース部材２２のうちスピーカー取付部３８の周辺には、スピーカー装飾ユニット２５を接続（係止）する接続ボス６５および接続孔６６が複数設けられている。なお、スピーカー装飾ユニット２５のベース部材２２への取付状態については、後で詳細に説明する。
【００１６】
スピーカー２４の前方に取り付けられるスピーカー装飾ユニット２５は、図１３に示すように、スピーカー２４からの音を外方へ伝達可能なスピーカーカバー６８と、該スピーカーカバー６８を後方から支持し、スピーカー装飾ユニット２５のベースとなるユニット基部６９と、該ユニット基部６９の前面に配置され、スピーカーカバー６８を前方へ突出させるスピーカー装飾部材７０とから構成されている。
【００１７】
スピーカーカバー６８は、遊技の効果音を通過可能な小さな透音孔（小孔）を複数開設した薄肉な金属板（所謂パンチングプレート）を略逆三角形状に切断し、前方へ膨出した凸形状、具体的には低い略三角錐形状を呈し、その頂部を金属板の中央からやや左上側に頂部を偏らせた形状に形成して構成されている。さらに、前記頂部（膨出先端）から各縁部へ向けて下り傾斜する３つの膨出構成面を僅かに凹ませて複雑な表面形状に形成して、高い装飾性を備えるように構成されている。また、スピーカーカバー６８の左右両方の上側コーナー部および下側コーナー部には、スピーカー装飾部材７０に嵌合する嵌合部７２を略円弧状に切り欠いて形成し、スピーカーカバー６８の縁部（例えば右側の傾斜縁）には、舌片状の取っ手７３を後方へ向けて延設している。なお、スピーカーカバー６８の取付状態については、後で詳細に説明する。
【００１８】
ユニット基部６９は、図１４および図１５（ａ）に示すように、略傾斜「Ｐ」字状に形成された基部プレート７５を備え、該基部プレート７５のうち前面カバー部材８の開口部２１側の端辺に、レンズユニット２７の外縁部に沿って湾曲した円弧状の装飾部７６を前方へ突設し、当該ユニット基部６９（すなわち基部プレート７５）の裏面から円筒状のベース接続部７７を、また、基部プレート７５の右側縁部からは板片状のスペーサ７８をそれぞれ後方のベース部材２２へ向けて延設し、スペーサ７８の先端をベース部材２２の前面に当接した状態で、ベース接続部７７の先端をベース部材２２の接続ボス６５に当接するように構成されている。
【００１９】
また、基部プレート７５の上側であって後方のスピーカー２４に対向する部分には、スピーカー２４のコーン部２４ｂと連通するための円形状のスピーカー連通口８０をスピーカー２４のコーン部２４ｂの前側拡径口と略同じ大きさで開設し、該スピーカー連通口８０の周辺を裏側から略矩形状に凹ませてフランジ収納部８１を形成してスピーカー２４のフランジ部２４ｃを収納可能とし（図１２参照）、スピーカー連通口８０の前方には、スピーカーカバー６８の膨出部分を後方から支持するカバー支持部８２を架設し、該カバー支持部８２の下方および側方（詳しくはスピーカー連通口８０を挟んで前面カバー部材８の開口部２１とは反対側）には、平板状のカバー当接壁８３を前方へ向けて立設している。さらに、基部プレート７５の右端部の上側に、円弧状に凹ませた位置決め受部８５を形成し、基部プレート７５の左側上部および下部には、スピーカー装飾部材７０を係合する円柱状の係合受部８６を突設し、該係合受部８６のスピーカー連通口８０側をさらに前方へ延設してスピーカー装飾部材７０を位置決めする断面円弧状の係止位置決め壁８７を形成している。そして、基部プレート７５の左側上部に配置された係止位置決め壁８７の先端からカバー押え８８を前方へ延設し、該カバー押え８８によりスピーカーカバー６８の嵌合部７２の周辺をスピーカー装飾部材７０側へ押圧するように構成されている。なお、係合受部８６およびカバー押え８８のスピーカー連通口８０側の外周面には、倒れ防止用の補強部８９を略円柱状に形成して備えている。
【００２０】
カバー支持部８２は、スピーカーカバー６８の膨出先端（頂部）を裏側から支持する先端支持部９１と、スピーカーカバー６８のうち膨出先端の周辺を裏側から支持する先端周辺支持部９２とから構成されている。先端支持部９１は、スピーカー連通口８０の中心よりも前面カバー部材８の左右方向の中央側へ寄せて配置され、当該先端支持部９１の先端部にスピーカーカバー６８の膨出先端の裏側部分に合わせて曲面を形成してスピーカーカバー６８の膨出先端の裏側を損傷させない状態で当接する。
【００２１】
また、先端周辺支持部９２は、先端支持部９１の側部からスピーカー連通口８０の縁部へ向けて放射状に延設された屈曲形状の梁部材であり、先端支持部９１側に位置する前側部９２ａをスピーカーカバー６８の裏面に沿って傾斜させてスピーカーカバー６８の膨出先端周辺を支持するように構成されている。そして、スピーカー連通口８０の縁部に接続される後側部９２ｂをスピーカー連通口８０の内側へ向けて延設し、前側部９２ａと後側部９２ｂとの間には、前後方向に延設された中間部９２ｃを接続している。したがって、先端周辺支持部９２の前側部９２ａがスピーカーカバー６８から受ける前後方向の力、例えば、スピーカーカバー６８の膨出先端およびその周辺が前方から押されてカバー支持部８２に伝わる前後方向の荷重を十分に受けることができ、スピーカーカバー６８が凹んだり先端周辺支持部９２が途中から折れてしまったりする不具合を防ぐことができる。
なお、本実施形態のカバー支持部８２は、図１４に示すように、上方向、開口部２１の縁部へ向かう方向（図中左下方向）、開口部２１とは反対側の横方向（図中右方向）の３方向へ延設され、スピーカーカバー６８の膨出形状を形成する３つの略三角形状曲面（上側曲面、左側曲面、右側曲面）の面心の裏側あるいはその周辺の裏側に先端周辺支持部９２をそれぞれ配置して、バランスよくスピーカーカバー６８を支持できるように構成されている。
【００２２】
カバー当接壁８３は、カバー支持部８２よりも低い位置に先端部を形成した壁状部材であり、その側壁面をスピーカー連通口８０の内側、具体的には、スピーカー支持部の先端支持部９１の側面に対向する状態で配置され、両方あるいは片方の側壁面には、倒れ防止部材として機能する半円柱形状の補強部９５を備えている。また、各カバー当接壁８３の先端部には、中間部分から当該カバー当接壁８３の両側端方向へ下り傾斜した当接部９６を形成し、右側のカバー当接壁８３の当接部９６がスピーカーカバー６８の上側曲面の裏側から右側曲面の裏側に亘って線接触する状態で当接し、下側のカバー当接壁８３の当接部９６がスピーカーカバー６８の右側曲面の裏側から左側曲面の裏側に亘って線接触する状態で当接するように構成されている。
【００２３】
ユニット基部６９の前側に取り付けられるスピーカー装飾部材７０は、スピーカー装飾ユニット２５の前面を装飾し、スピーカーカバー６８とともに前面カバー部材８の前面の一部を形成する部材である。このスピーカー装飾部材７０は、図１３および図１６に示すように、後方を大きく凹ませて内側にスピーカーカバー６８およびユニット基部６９のカバー支持部８２を収納可能な空間を形成し、前面にはスピーカーカバー６８よりもひと回り小さい略逆三角形状のカバー突出開口９８を開設し、該カバー突出開口９８の縁部の裏側にスピーカーカバー係止部９８ａを形成している。したがって、スピーカー装飾部材７０内にスピーカーカバー６８を収納すると、カバー突出開口９８の後方からスピーカーカバー６８の膨出部分が突出するとともに、スピーカーカバー係止部９８ａにスピーカーカバー６８の縁部周辺が当接する。
【００２４】
また、スピーカー装飾部材７０の裏側（後側）のうち、カバー突出開口９８の左上側隅部の外方（図１６中右側方）および下側隅部の下方には、ユニット基部６９に係合する円柱状の係合部９９を後方のユニット基部６９へ向けてそれぞれ突設し、該係合部９９の基端部のカバー突出開口９８側には、スピーカーカバー６８の嵌合部７２を嵌合するカバー用位置決め部１００を形成している（図１５（ｂ）参照）。そして、スピーカー装飾部材７０の裏側のうちカバー突出開口９８の右上側隅部の外方（図１６中左側に位置する隅部の左側方）には、ユニット基部６９に係合するとともにベース部材２２の接続孔６６に嵌合する円柱状のベース係合部１０１を後方へ向けて突設し、該ベース係合部１０１の外周面から横方向、詳しくはカバー突出開口９８の右上側隅部へ向けて位置決め突起１０２を突設し、該位置決め突起１０２をスピーカーカバー６８の右上側の嵌合部７２と、ユニット基部６９の右上側の位置決め受部８５とに当接（係合）するように構成されている。
【００２５】
このような構成を備えたスピーカーカバー６８、ユニット基部６９、スピーカー装飾部材７０を組み付けてスピーカー装飾ユニット２５を組み立てるには、まず、スピーカー装飾部材７０の後方からスピーカーカバー６８を入れて、スピーカー装飾部材７０の位置決め突起１０２にスピーカーカバー６８の右上側の嵌合部７２を、スピーカー装飾部材７０の左上側のカバー用位置決め部１００に左上側の嵌合部７２を、下側のカバー用位置決め部１００に下側の嵌合部７２をそれぞれ嵌合し、この嵌合状態のままスピーカーカバー６８の縁部をカバー突出開口９８の縁部の裏側に当接する。すると、スピーカーカバー６８は、膨出部分をカバー突出開口９８から前方へ突出した状態で位置決めされる。
【００２６】
スピーカーカバー６８を位置決めしたならば、ユニット基部６９をスピーカーカバー６８およびスピーカー装飾部材７０の裏側から近づけ、スピーカー装飾部材７０の位置決め突起１０２にユニット基部６９の位置決め受部８５を、スピーカー装飾部材７０の左側の係合部９９の外周面にユニット基部６９の左側の係止位置決め壁８７を、スピーカー装飾部材７０の下側の係合部９９の外周面にユニット基部６９の下側の係止位置決め壁８７をそれぞれ当接する。すると、ユニット基部６９の上下方向および左右方向の位置が決まり、ユニット基部６９がスピーカー装飾部材７０に対して前後方向にのみ移動可能な状態となる。そして、この状態のままユニット基部６９をスピーカー装飾部材７０へ押し当てる。すると、ユニット基部６９の係合受部８６がスピーカー装飾部材７０の係合部９９の先端に当接し、ユニット基部６９の前後方向の位置を決めることができる。また、ユニット基部６９のカバー支持部８２（先端支持部９１および先端周辺支持部９２）とカバー当接壁８３とがスピーカーカバー６８の膨出部分の裏側に当接し、カバー押え８８がスピーカーカバー６８の左側の嵌合部７２の裏側に当接する。したがって、外部からの衝突を受け易い膨出形状のスピーカーカバー６８であっても凹みを生じ難い状態で支持することができる。このことから、スピーカーカバー６８が損傷する不具合を抑えることができ、遊技機のメンテナンス作業の負担軽減を図ることができる。
【００２７】
そして、スピーカーカバー６８、ユニット基部６９、スピーカー装飾部材７０を組み付けてそれぞれを位置決めした状態で、ユニット基部６９の裏側から係合受部８６内に開設された止着穴８６ａにねじ等の止着部材１０４を通し、該止着部材１０４により係合部９９と係合受部８６とを止着する。すると、スピーカーカバー６８とユニット基部６９とスピーカー装飾部材７０とが一体化されてスピーカー装飾ユニット２５が組み上がる。
【００２８】
さらに、このスピーカー装飾ユニット２５をベース部材２２の前面に取り付けるには、予めスピーカー取付部３８にスピーカー２４を止着部材３９で取り付けておき、スピーカー２４およびスピーカー取付部３８を覆う状態で前方からスピーカー装飾ユニット２５の裏側を近づけ、装飾部７６の内縁部をレンズユニット２７の外縁部に当接させるとともに、ユニット基部６９の上縁部をパイロットレンズユニット２３の下部に当接させる。すると、スピーカー装飾ユニット２５の上下方向および左右方向の位置が決まる。そして、レンズユニット２７およびパイロットレンズユニット２３に当接した状態のまま、スピーカー装飾ユニット２５をベース部材２２に押し当てる。すると、ベース接続部７７の先端部がベース部材２２上の接続ボス６５に当接し、ベース係合部１０１の先端部が接続孔６６に嵌合する。さらに、スペーサ７８がベース部材２２の前面に当接し、スピーカー装飾ユニット２５の前後方向の位置が決まる。スピーカー装飾ユニット２５の位置が決まったならば、ベース部材２２の裏側から接続ボス６５内に開設された止着穴６５ａにねじ等の止着部材１０５を通し、該止着部材１０５により接続ボス６５とベース接続部７７とを着脱可能な状態で止着する。また、ベース係合部１０１および接続孔６６の後方に位置する止着穴、具体的には上補強プレート５１と自由端補強プレート５３との重合部分に開設された止着穴１０６にねじ等の止着部材１０７を通し、該止着部材１０７、上補強プレート５１および自由端補強プレート５３を介してベース係合部１０１とベース部材２２とを着脱可能な状態で止着する（図１２参照）。
【００２９】
このようにして、スピーカー装飾ユニット２５は、ベース部材２２の前面に着脱可能な状態で配置され、また、止着部材１０５，１０７を取り外せば、ベース部材２２の前方へ容易に取り外すことができる。したがって、前面カバー部材８に斬新なデザインのスピーカーカバー６８およびスピーカー装飾ユニット２５を安定した状態で取り付けることができ、パチンコ遊技機１のスピーカー２４周辺の装飾性を向上させることができる。また、スピーカーカバー６８およびスピーカー装飾ユニット２５の位置決めを容易に行うことができ、パチンコ遊技機１の組立作業の効率向上を図ることができる。さらに、スピーカー２４が故障等して交換が必要となった場合には、このスピーカー２４を簡単に露出させることができ、交換作業を迅速に行うことができる。
【００３０】
なお、上記スピーカー装飾ユニット２５は、スピーカー装飾部材７０の裏側からベース係合部１０１を１つだけ延設したが、本発明はこれに限定されず、複数のベース係合部をスピーカー装飾部材７０から後方へ延設し、このベース係合部の先端部をベース部材２２に接続してもよい。
【００３１】
ところで、上記実施形態では、スピーカー装飾ユニット２５を一定位置に配置するようにしたが、本発明はこれに限らず、スピーカー装飾ユニット２５を前後移動するように構成してもよい。例えば、図１７に示す第２実施形態のスピーカー装飾ユニット２５は、基本的には上記実施形態と同じであるが、止着部材等でベース部材２２に止着されず、当該スピーカー装飾ユニット２５を前後方向へ移動可能な装飾ユニット移動手段を備えている点で異なる。具体的に説明すると、第２実施形態のスピーカー装飾ユニット２５の装飾ユニット移動手段１１０は、スピーカー装飾部材７０の裏側から後方へ立設され、ベース部材２２に設けられたガイド軸受１１１と、該ガイド軸受１１１内を前後摺動可能なガイドロッド１１２と、スピーカー２４を挟んでガイドロッド１１２とは反対側に配置され、ユニット基部６９の裏側にプランジャ１１３の先端を接続したソレノイド（駆動源）１１４とから構成され、ソレノイド１１４を励磁するとプランジャ１１３が前方へ突出し、このプランジャ１１３に押されてスピーカー装飾ユニット２５（スピーカーカバー６８、ユニット基部６９、スピーカー装飾部材７０）がベース部材２２から離れて前進し、ソレノイド１１４を消磁するとプランジャ１１３が後退し、このプランジャ１１３に引かれてスピーカー装飾ユニット２５が後方へ移動して元に戻るように構成されている。このように、スピーカー装飾ユニット２５を前後方向へ移動できるようにすると、スピーカー２４からの音量や遊技進行に伴ってスピーカー装飾ユニット２５を前後移動させることができる。したがって、今までにない斬新な遊技演出を行うことができ、遊技の興趣を高めることができる。
【００３２】
なお、装飾ユニット移動手段１１０の駆動源は、ソレノイド１１４に限定されない。例えば、スピーカー装飾ユニット２５の後方へ延設されたラックギアと、該ラックギアに噛合するピニオンギアと、該ピニオンギアを出力軸に取り付けたモータとから駆動源を構成し、モータを正逆回動させることでスピーカー装飾ユニット２５を前後移動できるように構成してもよい。
【００３３】
そして、上記実施形態は、代表的な遊技機であるパチンコ遊技機１を例に挙げて説明したが、本発明はこれに限らず、その他、スピーカーとその前方に取り付けられるスピーカー装飾ユニットを備えた遊技機であればよい。例えば、内部に封入した遊技球を循環させる封入球式パチンコ遊技機、アレンジボール式遊技機、雀球式遊技機等の遊技機であってもよい。
【００３４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３５】
【図１】パチンコ遊技機の正面図である。
【図２】前面カバー部材を開いた状態のパチンコ遊技機の斜視図である。
【図３】前面カバー部材の斜視図である。
【図４】前面カバー部材の正面図である。
【図５】前面カバー部材の背面図である。
【図６】前面カバー部材の前面側の分解斜視図である。
【図７】前面カバー部材の裏面側の分解斜視図である。
【図８】前面カバー部材からスピーカー装飾ユニットおよびスピーカーを外した分解斜視図である。
【図９】スピーカー取付部の正面図である。
【図１０】スピーカー取付部の背面図である。
【図１１】スピーカーを取り付けた状態のスピーカー取付部の背面図である。
【図１２】図４のＡ−Ａ断面図である。
【図１３】スピーカー装飾ユニットの分解斜視図である。
【図１４】ユニット基部の正面図である。
【図１５】（ａ）はユニット基部の斜視図、（ｂ）は係合受部の拡大側面図である。
【図１６】スピーカー装飾部材の背面図である。
【図１７】第２実施形態のスピーカー装飾ユニットの断面図であり、（ａ）はスピーカー装飾ユニットを前進させた状態の概略図、（ｂ）は後退させた状態の概略図である。
【符号の説明】
【００３６】
１  パチンコ遊技機
３  前面枠
８  前面カバー部材
９  ガラス板
２１  開口部
２２  ベース部材
２３  パイロットレンズユニット
２４  スピーカー
２４ａ  後部
２４ｂ  コーン部（発音部）
２４ｃ  フランジ部
２５  スピーカー装飾ユニット
２６  下部装飾ユニット
２７  レンズユニット
２８  ガラスユニット
３８  スピーカー取付部
６０  スピーカー収納開口
６２  スピーカー支持壁
６３  スピーカー止着部
６５  接続ボス
６６  接続孔
６８  スピーカーカバー
６９  ユニット基部
７０  スピーカー装飾部材
７２  嵌合部
７３  取っ手
７５  基部プレート
７６  装飾部
７７  ベース接続部
７８  スペーサ
８０  スピーカー連通口
８１  フランジ収納部
８２  カバー支持部
８３  カバー当接壁
８５  位置決め受部
８６  係合受部
８７  係止位置決め壁
８８  カバー押え
８９  補強部
９１  先端支持部
９２  先端周辺支持部
９２ａ  前側部
９２ｂ  後側部
９２ｃ  中間部
９５  補強部
９６  当接部
９８  カバー突出開口
９８ａ  スピーカーカバー係止部
９９  係合部
１００  カバー用位置決め部
１０１  ベース係合部
１０２  位置決め突起
１１０  装飾ユニット移動手段
１１１  ガイド軸受
１１２  ガイドロッド
１１３  プランジャ
１１４  ソレノイド
【図１】
2006051118.tif 000003
【図２】
2006051118.tif 000004
【図３】
2006051118.tif 000005
【図４】
2006051118.tif 000006
【図５】
2006051118.tif 000007
【図６】
2006051118.tif 000008
【図７】
2006051118.tif 000009
【図８】
2006051118.tif 000010
【図９】
2006051118.tif 000011
【図１０】
2006051118.tif 000012
【図１１】
2006051118.tif 000013
【図１２】
2006051118.tif 000014
【図１３】
2006051118.tif 000015
【図１４】
2006051118.tif 000016
【図１５】
2006051118.tif 000017
【図１６】
2006051118.tif 000018
【図１７】
2006051118.tif 000019